(57)【要約】【課題】  パルス幅変調で駆動する画像表示装置において、階調レベルが高いときにパルスの間隔が小さくなりすぎることによる、消費電力の増加や、温度等の外的要因もしくはドライバと配線とにおける信号遅延による階調レベルの変化を防ぐ。【解決手段】  信号線に供給される電圧に満たない電圧を画素電極に書き込む。また、信号線と走査線との波形の位相をずらすことで階調を表示し、かつ、信号線方向の画素の極性を１つおきに反転させる。【選択図】  図１
2005331981.tif 000002
【特許請求の範囲】
【請求項１】
走査線の電位がオンを示すときに信号線の電位と共通電極の電位との間の電圧を画素に印加し、信号線に供給される電圧が２値であってその電圧のパルス幅で階調を表示する画像表示装置の駆動方法において、
信号線と走査線との波形の位相をずらすことで階調を表示し、かつ、信号線方向の画素の極性が１つおきに反転していることを特徴とする画像表示装置の駆動方法。
【請求項２】
走査線の電位がオンを示すときに信号線の電位と共通電極の電位との間の電圧を画素に印加し、信号線に供給される電圧が２値であってその電圧のパルス幅で階調を表示する画像表示装置の駆動方法において、
信号線と共通電極との波形の位相をずらすことで階調を表示し、かつ、信号線方向の画素の極性が１つおきに反転していることを特徴とする画像表示装置の駆動方法。
【請求項３】
共通電極の波形の位相は、走査線の波形の位相に対して、一定の位相差を有していることを特徴とする請求項２記載の画像表示装置の駆動方法。
【請求項４】
１水平期間の最終では信号線の電位と共通電極の電位とは電位差が最大になっていることを特徴とする請求項１または２記載の画像表示装置の駆動方法。
【請求項５】
１水平期間の最終では信号線の電位と共通電極の電位とは電位差が最小になっていることを特徴とする請求項１または２記載の画像表示装置の駆動方法。
【請求項６】
信号線に供給される電圧が２値であってその電圧のパルス幅で階調を表示する画像表示装置の駆動方法において、
正極性の書き込みと負極性の書き込みとで走査線の振幅を変えることを特徴とする画像表示装置の駆動方法。
【請求項７】
走査線に供給される電圧の振幅の差が共通電極に供給される電圧の振幅と同一であることを特徴とする請求項６記載の画像表示装置の駆動方法。
【請求項８】
基板上に形成された複数の画素電極と、該画素電極に個別に接続される画素スイッチング素子と、表示画像に応じたデータ信号を上記画素電極に印加する複数の信号線と、各画素に共通の電位を印加する共通電極とを有し、
走査線の電位がオンを示すときに信号線の電位と共通電極の電位との間の電圧を画素に印加し、信号線に供給される電圧が２値であってその電圧のパルス幅で階調を表示する画像表示装置の駆動装置において、
１水平期間ごとに極性反転する電圧波形の位相を、走査線の電圧波形の位相から、表示画像の階調データに応じてずらした信号を、信号線に供給する信号線駆動部を備えたことを特徴とする画像表示装置の駆動装置。
【請求項９】
基板上に形成された複数の画素電極と、該画素電極に個別に接続される画素スイッチング素子と、表示画像に応じたデータ信号を上記画素電極に印加する複数の信号線と、各画素に共通の電位を印加する共通電極とを有し、
走査線の電位がオンを示すときに信号線の電位と共通電極の電位との間の電圧を画素に印加し、信号線に供給される電圧が２値であってその電圧のパルス幅で階調を表示する画像表示装置の駆動装置において、
１水平期間ごとに極性反転する電圧波形の位相を、共通電極の電圧波形の位相から、表示画像の階調データに応じてずらした信号を、信号線に供給する信号線駆動部を備えたことを特徴とする画像表示装置の駆動装置。
【発明の詳細な説明】
【技術分野】
【０００１】
本発明は、画素スイッチング素子の導通期間における信号線へ供給されるパルス幅に応じて画素電極に書き込まれる電圧を制御して画像を表示する画像表示装置の駆動方法および画像表示装置の駆動装置に関するものである。
【背景技術】
【０００２】
従来から、画素スイッチング素子（以下、スイッチング素子と略称する）に薄膜トランジスタ（ＴＦＴ）を用いた液晶表示装置（ＴＦＴ−ＬＣＤ）のように、アクティブマトリクス型液晶表示装置等の画像表示装置が広く用いられており、近年では、携帯用情報端末および携帯電話等にも液晶表示装置（ＬＣＤ）が用いられている。
【０００３】
アクティブマトリクス型液晶表示装置においては、図５１に示すように、画像データに応じた電圧の信号を信号線に供給し、それぞれ薄膜トランジスタに代表されるスイッチング素子により選択された画素にこの電圧を供給する電圧変調駆動方法を用いて表示を行っている。この際、スイッチング素子は信号線の電圧を充分に画素電極に書き込めるだけの能力を持つように、すなわち充電率が１００％近くなるように（一般的には９９％以上となるように）設計されている。この方法では、所望の電圧を外部回路によって生成しているため、階調電圧生成部での電力消費が発生する。
【０００４】
携帯情報端末や携帯電話等のように低消費電力化を求められる表示装置においては、このロスが無視できない値である。そのため、階調電圧生成部を形成せずに、外部から与えられた基準電圧のみを信号線に供給し、図５２に示すように、スイッチング素子の導通期間に応じて充電率を制御して階調表示を行う方法が考えられている。すなわち、消費電力を下げる駆動方法として、特開昭５５−１４０８８９号公報や特開平３−６２０９４号公報で示される、２値のパルス幅変調駆動方法がある。この駆動方法は、実際、スイッチング素子として２端子素子であるＭＩＭ素子（金属・絶縁膜・金属積層素子）を用いた液晶表示装置（ＭＩＭ−ＬＣＤ）などで使用されている。例えば、特開平１１−３２６８７０号公報には、ＭＩＭ素子をスイッチング素子として採用した携帯情報端末用液晶表示装置が開示されている。このパルス幅変調駆動方法では、信号線は２値出力であるため、階調を作る部分での電力消費が無く、信号線の１出力あたりにバッファを設ける必要がないので、そこでの定常電流消費が無い。そのため、電圧変調駆動方法よりも消費電力が小さくなる利点がある。
【特許文献１】特開昭５５−１４０８８９号公報
【特許文献２】特開平３−６２０９４号公報
【特許文献３】特開平１１−３２６８７０号公報
【発明の開示】
【発明が解決しようとする課題】
【０００５】
しかしながら、上記従来のパルス幅変調駆動では、以下に述べるように、消費電力の増加を抑えながら、良好な多階調表示を実現することが困難であるという問題点がある。
【０００６】
すなわち、まず、上記特開平１１−３２６８７０号公報にも記載されているとおり、１Ｈ期間（水平期間）中においてのスイッチング素子が導通期間をとる時間的割合はそれぞれの階調に対して均等に割り当てればよいというわけではない。このことを示すために、静電容量の変化を示す図５３および図５４を用いて説明する。ここで、図５３は画素に対して０Ｖから５Ｖまで充電される状態を示したものであり、図５４は０Ｖから−５Ｖまで充電される状態を示したものである。
【０００７】
スイッチング素子は、チャネルの幅および長さが１４μｍおよび５μｍの薄膜トランジスタであり、画素容量は０．５ｐＦ、ゲート電圧は１０Ｖである。容量素子と抵抗素子とから構成される遅延回路の一般式からも類推できるように、充電時間に対して電圧は指数関数的に変化する。したがって、画素電極の電圧変化ははじめのうちは急激であるが、信号線の電圧に近づくにつれて微少（緩慢）になる。液晶表示装置の中間調表示に相当する２Ｖ近辺では、０．５Ｖ／μｓ程度の傾きであり、６４階調表示を行えるような仕様をとるとすればパルス幅は６０ｎｓ程度で制御しなければならなくなる。これは、配線における信号遅延やスイッチング素子の特性ばらつきを考えるとほとんど不可能な値であり、仮に信号線での遅延が０．６μｓであったとすると、信号線の入力側と非入力側の傾斜だけでも１０階調分の違いがでてしまうことになる。一方、黒表示に必要な最大充電の近辺では充電時間に対する電圧変化が微少であるため、１階調分のパルス幅の割り振りは最大で約１２μｓとなり、アンバランスが生じている。
【０００８】
もし、上記の制御を可能にしようとすれば、所望の短いパルス幅の信号を信号線ドライバの中で生成するのに用いる基準クロックとして、周波数が非常に高いものを用いる必要があるため、その分、消費電力が増加してしまう。
【０００９】
また、一般に、パルス幅変調駆動方法では、信号線の出力を２値にすることで、階調を作る部分とバッファ部分での電力消費が無くなっても、階調の出し方によっては信号線の周波数が上がってしまい（図５２）、消費電力は周波数に比例するので、全体としての低消費電力の効果が小さくなってしまう。
【００１０】
本発明は、上記問題点に鑑みなされたものであり、その目的は、パルス幅変調駆動を行う画像表示装置において、消費電力の増加を抑えながら、良好な多階調表示を実現することができる画像表示装置の駆動方法を提供することにある。
【課題を解決するための手段】
【００１１】
上記の課題を解決するため、本発明の画像表示装置の駆動方法は、基板上に形成された複数の画素電極と、該画素電極に個別に接続される画素スイッチング素子と、表示画像に応じたデータ信号を上記画素電極に印加する複数の信号線と、各画素に共通の電位を印加する共通電極とを有し、該画素スイッチング素子の導通期間における該信号線へ供給されるパルス幅に応じて画素電極に書き込まれる電圧を制御する画像表示装置の駆動方法において、画素電極に書き込まれる電圧が信号線に供給される電圧に満たないような構成とすることができる。
【００１２】
上記の構成により、信号線に供給される電圧に満たない電圧が、画素電極に書き込まれる。例えば、上記構成において、画素電極に書き込まれる電圧の振幅の最大値が、信号線に供給される電圧の振幅の８０％以上９８％以下であるように構成することができる。これは、図５３を例にとると、充電時間０μｓから、１２μｓ（８０％相当）ないし３０μｓ（９８％相当）までの領域に示される充電曲線を利用することを示している。
【００１３】
したがって、階調レベルが高いときでも、要求されるパルスの間隔が小さくなりすぎることを緩和することができる。その結果、温度等の外的要因もしくはドライバや配線における信号遅延等による階調レベルの変化を防止することができる。また、所望のパルス幅の信号を信号線ドライバの中で生成するのに要する基準クロックの周波数も、低いものを用いることができるため、消費電力の増加を抑えることができる。
【００１４】
それゆえ、パルス幅変調駆動を行う多階調の画像表示装置において、消費電力の増加を抑えながら、良好な多階調表示を実現することができる。
【００１５】
また、本発明の画像表示装置の駆動方法は、上記の構成に加えて、画素電極に書き込まれる電圧の最大値の該信号線に供給される電圧に対する到達率が、該画素電極に書き込まれる電圧の極性によって異なるような構成とすることができる。
【００１６】
一般に、画素スイッチング素子としてトランジスタを使用した場合に、書き込み電圧の極性によって、充電速度等の充電特性が異なる。図５３の場合は画素の書き込みが進むにつれ相対的にゲート電圧が低くなるように作用するが、図５４の場合は、画素電位がゲートの電位に対して差が大きくなる方向に充電されていくため、画素の書き込みが進むにつれてトランジスタのオン抵抗がどんどん小さくなり、より急速に充電されることになる。
【００１７】
これに対し、上記の構成によれば、画素電極に書き込まれる電圧の最大値の該信号線に供給される電圧に対する到達率が、該画素電極に書き込まれる電圧の極性によって異なる。
【００１８】
したがって、画素スイッチング素子としてトランジスタを使用した場合に、書き込み電圧の極性による充電特性の緩急の違いに応じて上記到達率を変化させることで、いずれの極性においても、所望の充電電圧を得ることができる。それゆえ、上記の構成による効果に加えて、書き込み電圧の極性による画素スイッチング素子の充電特性の違いにかかわらず、所望の充電電圧を得ることができる。
【００１９】
さらに、一般にアクティブマトリクス型液晶表示装置では表示階調によって液晶層部分の容量が異なることにより最適対向電圧が変化するが、このような場合でも、表示階調による最適対向電圧の違いにかかわらず、所望の充電電圧を得ることができる。
【００２０】
また、本発明の画像表示装置の駆動方法は、上記の構成に加えて、同一階調表示時に、該画素電極に書き込まれる電圧の極性によって、該画素スイッチング素子の導通期間における該信号線へ供給される電圧のパルス幅が異なるような構成とすることができる。
【００２１】
一般に、画素スイッチング素子としてトランジスタを使用した場合に、書き込み電圧の極性によって充電速度等の充電特性が異なる。
【００２２】
これに対し、上記の構成によれば、同一階調表示時に、該画素電極に書き込まれる電圧の極性によって、該画素スイッチング素子の導通期間における該信号線へ供給される電圧のパルス幅が異なる。したがって、画素スイッチング素子としてトランジスタを使用した場合に、書き込み電圧の極性による充電特性の緩急の違いに応じて上記パルス幅を変化させることで、いずれの極性においても、所望の充電電圧を得ることができる。それゆえ、上記の構成による効果に加えて、書き込み電圧の極性による画素スイッチング素子の充電特性の違いにかかわらず、所望の充電電圧を得ることができる。
【００２３】
さらに、一般にアクティブマトリクス型液晶表示装置では表示階調によって液晶層部分の容量が異なることにより最適対向電圧が変化するが、このような場合でも、表示階調による最適対向電圧の違いにかかわらず、所望の充電電圧を得ることができる。
【００２４】
また、本発明の画像表示装置の駆動方法は、上記の構成に加えて、画素電極に書き込まれる電圧の極性ごとに、該走査線一本あたりに割り当てられる時間が異なるような構成とすることができる。
【００２５】
一般に、画素スイッチング素子としてトランジスタを使用した場合に、書き込み電圧の極性によって充電速度等の充電特性が異なる。
【００２６】
これに対し、上記の構成によれば、画素電極に書き込まれる電圧の極性ごとに、該走査線一本あたりに割り当てられる時間が異なる。したがって、画素スイッチング素子としてトランジスタを使用した場合に、書き込み電圧の極性による充電特性の緩急の違いに応じて上記走査線一本あたりに割り当てられる時間を変化させることで、いずれの極性においても、所望の充電電圧を得ることができる。それゆえ、上記の構成による効果に加えて、書き込み電圧の極性による画素スイッチング素子の充電特性の違いにかかわらず、所望の充電電圧を得ることができる。
【００２７】
また、一般にアクティブマトリクス型液晶表示装置では表示階調によって液晶層部分の容量が異なることにより最適対向電圧が変化するが、このような場合でも、表示階調による最適対向電圧の違いにかかわらず、所望の充電電圧を得ることができる。
【００２８】
さらに、画像表示装置の動作の周波数によって決定される限られた期間の中で、プラス書き込み時とマイナス書き込み時とのそれぞれに最適な長さの期間を割り当てることができる。その結果、階調レベルが高いときでも、要求されるパルスの間隔が小さくなりすぎることを緩和することがさらに容易になる。そのため、パルス幅変調駆動を行う多階調の画像表示装置において、消費電力の増加をより抑えながら、より良好な多階調表示を実現することができる。
【００２９】
また、本発明の画像表示装置の駆動方法は、上記の構成に加えて、上記すべての画素に共通の電位を印加する共通電極と、上記画素スイッチング素子を駆動する複数の走査線とを有する上記画像表示装置に対し、上記共通電極と画素電極の電位差に応じて液晶を変位させて表示を行い、信号線に供給される電圧の振幅が、共通電極に供給される電圧の振幅と同じであるような構成とすることができる。
【００３０】
上記の構成により、信号線に供給される電圧の振幅は、共通電極に供給される電圧の振幅と同じである。
【００３１】
従来は、たとえ信号線と対向電極（共通電極）の振幅が同じであっても、表示階調によって液晶層部分の容量が異なることによって、最適対向電圧が変化するというアクティブマトリクス型液晶表示装置の一般的な問題により、ＤＣ（直流）レベルが異なるため同一の電源回路からの供給ができない。
【００３２】
これに対し、上記本発明の構成によれば、画素電極に書き込まれる電圧は信号線に供給される電圧に満たないようにしている。したがって、黒表示すなわち最も画素電位を高く充電される状態においても、表示階調によって最適対向電圧が変化しても、それを見込んだ充電率に設定すればよく、同一の電源回路から電圧供給しても支障がなくなる。それゆえ、上記の構成による効果に加えて、信号線ドライバヘの電源供給回路として、対向電極ヘの電源供給回路と同一のものを利用することができるため、電圧作成にかかるロスが少なくてすむ。
【００３３】
また、本発明の画像表示装置の駆動方法は、上記の構成に加えて、画素電極に書き込まれる電圧の振幅の最大値が、信号線に供給される電圧の振幅の８０％以上９８％以下であるような構成とすることができる。
【００３４】
上記の構成により、画素電極に書き込まれる電圧の振幅の最大値が、信号線に供給される電圧の振幅の８０％以上９８％以下である。したがって、充電時間の伸びに対する画素電圧の増加がほとんどなく、画素電圧の増加に対する液晶の透過率の増加も大きくない非常に効率の悪い領域を削ることができる。それゆえ、上記の構成による効果に加えて、充電特性の線形性を向上させることができる。
【００３５】
また、本発明の画像表示装置の駆動方法は、走査線の電位がオンを示すときに信号線の電位と共通電極の電位との間の電圧を画素に印加し、信号線に供給される電圧が２値であってその電圧のパルス幅で階調を表示する画像表示装置の駆動方法において、信号線と走査線との波形の位相をずらすことで階調を表示し、かつ、信号線方向の画素の極性が１つおきに反転していることを特徴としている。例えば、上記画像表示装置として、ＴＦＴ−ＬＣＤ、すなわちＴＦＴ（薄膜トランジスタ）方式の液晶表示装置が挙げられる。なお、共通電極（対向電極）の電位は直流でも交流（２値）でもよい。
【００３６】
一般に、パルス幅変調駆動方法では、信号線の出力を２値にすることで、階調を作る部分とバッファ部分での電力消費が無くなっても、階調の出し方によっては信号線の周波数が上がってしまい（図５２）、消費電力は周波数に比例するので、全体としての低消費電力の効果が小さくなってしまう。
【００３７】
これに対し、上記本発明の構成によれば、信号線と走査線との波形の位相をずらすことで階調を表示し、かつ、信号線方向の画素の極性が１つおきに反転している。したがって、いかなる階調であっても、信号線の周波数を上げることなく表現することができるようになる。それゆえ、パルス幅変調駆動を行う多階調の画像表示装置において、消費電力の増加を抑えながら、良好な多階調表示を実現することができる。
【００３８】
上述の特開平３−６２０９４号公報では、アクティブマトリクス型液晶表示装置のパルス幅変調駆動の技術を開示している。このパルス幅変調駆動は、走査信号の活性化の期間と一致した活性化の期間を有するパルス幅のデータ信号を生成すること、または、走査信号の不活性化の期間と一致した不活性化の期間を有するパルス幅のデータ信号を生成することとしている。この方法では、１水平期間に走査信号の立ち上がりか立ち下がりに１回、そして、階調を定める時間に１回の計２回、信号線の極性反転があることになる。これに対し、上記本発明では、ＴＦＴ−ＬＣＤ等の画像表示装置について、信号線に供給される電圧が２値であってその電圧のパルス幅で階調を表示する画像表示装置の駆動方法において、信号線と走査線との波形の位相をずらすことで階調を表示し、かつ、信号線方向の画素の極性が１つおきに反転しているので、信号線信号（ソース信号）の周波数を上げることなく消費電力増加を抑えることができる。信号線方向の画素の極性が１つおきに反転している駆動としては、１水平期間反転駆動やドット反転駆動を採用することができる。
【００３９】
また、本発明の画像表示装置の駆動方法は、走査線の電位がオンを示すときに信号線の電位と共通電極の電位との間の電圧を画素に印加し、信号線に供給される電圧が２値であってその電圧のパルス幅で階調を表示する画像表示装置の駆動方法において、信号線と共通電極との波形の位相をずらすことで階調を表示し、かつ、信号線方向の画素の極性が１つおきに反転していることを特徴としている。
【００４０】
上記の構成により、信号線と共通電極との波形の位相をずらすことで階調を表示し、かつ、信号線方向の画素の極性が１つおきに反転している。したがって、いかなる階調であっても、信号線の周波数を上げることなく表現することができるようになる。それゆえ、パルス幅変調駆動を行う多階調の画像表示装置において、消費電力の増加を抑えながら、良好な多階調表示を実現することができる。
【００４１】
このような構成は、走査信号が１水平期間周期で一定のパルス信号である場合、および、走査信号が１水平期間周期で一定のパルス信号ではない場合のいずれの場合にも適用可能である。
【００４２】
また、本発明の画像表示装置の駆動方法は、上記の構成に加えて、共通電極の波形（駆動波形）の位相は、走査線の波形（駆動波形）の位相に対して、一定の位相差を有していることを特徴としている。
【００４３】
上記の構成により、共通電極の波形の位相は、走査線の波形の位相に対して、一定の位相差を有している。したがって、階調を表示する上で信号線の波形の位相をずらす対象として、走査線と共通電極との波形のうちから選ぶことができる。それゆえ、上記の構成による効果に加えて、より柔軟に回路を設計することができる。
【００４４】
上記一定の位相差として、例えば、０、すなわち、共通電極の波形の位相を走査線の波形の位相に厳密に一致させた構成とすることができる。また、走査信号の遅延を考慮して、共通電極の波形の位相を、走査線の電位の位相に厳密には一致させずに、走査線の波形の位相から若干遅らせた構成とすることもできる。
【００４５】
また、本発明の画像表示装置の駆動方法は、上記の構成に加えて、１水平期間の最終では信号線の電位と共通電極の電位とは電位差が最大になっていることを特徴としている。
【００４６】
上記の構成により、１水平期間の最終では信号線の電位と共通電極の電位とは電位差が最大になっている。したがって、１水平期間の最終へ向けて画素電極へ充電され、走査線信号のオフに伴いこの充電が停止されるので、充電の度合いを可変することによって、水平期間終了後の画素電極の電位すなわち階調を制御することができる。それゆえ、上記の構成による効果に加えて、より簡素な構成で、階調表示を行うことができる。
【００４７】
また、本発明の画像表示装置の駆動方法は、上記の構成に加えて、１水平期間の最終では信号線の電位と共通電極の電位とは電位差が最小になっていることを特徴としている。
【００４８】
上記の構成により、１水平期間の最終では信号線の電位と共通電極の電位とは電位差が最小になっている。したがって、１水平期間の最終へ向けて画素電極から放電され、走査線信号のオフに伴いこの放電が停止されるので、放電の度合いを可変することによって、水平期間終了後の画素電極の電位すなわち階調を制御することができる。それゆえ、上記の構成による効果に加えて、より簡素な構成で、階調表示を行うことができる。
【００４９】
また、本発明の画像表示装置の駆動方法は、信号線に供給される電圧が２値であってその電圧のパルス幅で階調を表示する画像表示装置の駆動方法において、正極性の書き込みと負極性の書き込みとで走査線の振幅を変えることを特徴としている。例えば上記画像表示装置としてＴＦＴ−ＬＣＤが挙げられる。
【００５０】
一般に、ＴＦＴ−ＬＣＤでパルス幅変調駆動を行う場合、画素に対する充電を途中で止めて階調を出すものであるから、階調の再現性を良くするためには、トランジスタのオン抵抗の書き込み初期状態を、あらゆる場合で揃えなければならない。しかし、ＴＦＴは３端子素子であるので、それぞれの素子の電位関係でオン抵抗は変わってしまう。
【００５１】
これに対し、上記本発明の構成によれば、正極性の書き込みと負極性の書き込みとで走査線の振幅を変える。したがって、正極性時の書き込みと負極性時の書き込みとで書き込み能力の差を小さくすることができる。その結果、３端子素子であるＴＦＴを用いても、トランジスタのオン抵抗の書き込み初期状態を、あらゆる場合で揃えることができ、良好な階調の再現性を実現することができる。それゆえ、パルス幅変調駆動を行う多階調の画像表示装置において、消費電力の増加を抑えながら、良好な多階調表示を実現することができる。
【００５２】
また、本発明の画像表示装置の駆動方法は、上記の構成に加えて、走査線に供給される電圧の振幅の差が共通電極に供給される電圧の振幅と同一であることを特徴としている。
【００５３】
上記の構成により、走査線に供給される電圧の振幅の差が共通電極（コモン）に供給される電圧の振幅と同一である。したがって、余分な電源電圧を作る必要がない。それゆえ、上記の構成による効果に加えて、部品点数や消費電力の増加をより抑えることができる。
【００５４】
また、本発明の画像表示装置の駆動方法は、信号線に供給される電圧が２値であってその電圧のパルス幅で階調を表示する画像表示装置の駆動方法において、１つの画素に書き込む時間の前半から後半にかけて、信号線から画素への信号印加をオンオフするトランジスタの抵抗が時系列的に高くなるような構成とすることができる。例えば上記画像表示装置としてＴＦＴ−ＬＣＤが挙げられる。
【００５５】
一般に、パルス幅変調駆動方法は、画素に対する充電を途中で止めて階調を出すわけであるが、従来の電圧変調駆動方法用に設計されたトランジスタの抵抗はパルス幅変調駆動方法に用いるのには低すぎ、低電圧側の階調表現時には時間の高分解能が要求されるため、表現が難しくなる。
【００５６】
これに対し、上記本発明の構成によれば、１つの画素に書き込む時間の前半から後半にかけて、信号線から画素への信号印加をオンオフするトランジスタの抵抗が時系列的に高くなる。したがって、パルス幅変調駆動方法で要求される中間調表現において要求される時間分解能の精度を緩和することができる。それゆえ、低電圧側の階調表現を容易に行えるようにすることができる。それゆえ、パルス幅変調駆動を行う多階調の画像表示装置において、消費電力の増加を抑えながら、良好な多階調表示を実現することができる。
【００５７】
また、本発明の画像表示装置の駆動方法は、上記の構成に加えて、上記トランジスタの抵抗の変動を、ゲート電圧の変動で行うような構成とすることができる。
【００５８】
上記の構成により、上記トランジスタの抵抗の変動を、ゲート電圧の変動で行う。したがって、上記トランジスタの抵抗を変動させるための新たな素子を作る必要がない。それゆえ、上記の構成による効果に加えて、部品点数や消費電力の増加をより抑えることができる。
【００５９】
なお、例えば、上記各構成において、共通電極の波形の位相はいかなる階調においても同一であるように構成することができる。また、例えば、上記各構成において、信号線の波形の極性を１水平期間に一度だけ必ず極性反転させるように構成することができる。
【００６０】
また、本発明の画像表示装置の駆動装置は、基板上に形成された複数の画素電極と、該画素電極に個別に接続される画素スイッチング素子と、表示画像に応じたデータ信号を上記画素電極に印加する複数の信号線と、各画素に共通の電位を印加する共通電極とを有し、走査線の電位がオンを示すときに信号線の電位と共通電極の電位との間の電圧を画素に印加し、信号線に供給される電圧が２値であってその電圧のパルス幅で階調を表示する画像表示装置の駆動装置において、１水平期間ごとに極性反転する電圧波形の位相を、走査線の電圧波形の位相から、表示画像の階調データに応じてずらした信号を、信号線に供給する信号線駆動部を備えたことを特徴としている。
【００６１】
上記構成によれば、信号線と走査線との波形の位相をずらすことで階調を表示し、かつ、信号線方向の画素の極性が１つおきに反転している。したがって、いかなる階調であっても、信号線の周波数を上げることなく表現することができるようになる。それゆえ、パルス幅変調駆動を行う多階調の画像表示装置において、消費電力の増加を抑えながら、良好な多階調表示を実現することができる。
【００６２】
また、本発明の画像表示装置の駆動装置は、基板上に形成された複数の画素電極と、該画素電極に個別に接続される画素スイッチング素子と、表示画像に応じたデータ信号を上記画素電極に印加する複数の信号線と、各画素に共通の電位を印加する共通電極とを有し、走査線の電位がオンを示すときに信号線の電位と共通電極の電位との間の電圧を画素に印加し、信号線に供給される電圧が２値であってその電圧のパルス幅で階調を表示する画像表示装置の駆動装置において、１水平期間ごとに極性反転する電圧波形の位相を、共通電極の電圧波形の位相から、表示画像の階調データに応じてずらした信号を、信号線に供給する信号線駆動部を備えたことを特徴としている。
【００６３】
上記の構成によれば、信号線と共通電極との波形の位相をずらすことで階調を表示し、かつ、信号線方向の画素の極性が１つおきに反転している。したがって、いかなる階調であっても、信号線の周波数を上げることなく表現することができるようになる。それゆえ、パルス幅変調駆動を行う多階調の画像表示装置において、消費電力の増加を抑えながら、良好な多階調表示を実現することができる。
【発明の効果】
【００６４】
以上のように、本発明の画像表示装置の駆動方法は、信号線と走査線との波形の位相をずらすことで階調を表示し、かつ、信号線方向の画素の極性が１つおきに反転している構成である。
【００６５】
これにより、いかなる階調であっても、信号線の周波数を上げることなく表現することができるようになる。それゆえ、消費電力の増加を抑えながら、良好な多階調表示を実現することができるという効果を奏する。
【００６６】
また、本発明の画像表示装置の駆動方法は、信号線と共通電極との波形の位相をずらすことで階調を表示し、かつ、信号線方向の画素の極性が１つおきに反転している構成である。
【００６７】
これにより、いかなる階調であっても、信号線の周波数を上げることなく表現することができるようになる。それゆえ、消費電力の増加を抑えながら、良好な多階調表示を実現することができるという効果を奏する。
【００６８】
また、本発明の画像表示装置の駆動方法は、正極性の書き込みと負極性の書き込みとで走査線の振幅を変える構成である。
【００６９】
これにより、正極性時の書き込みと負極性時の書き込みとで書き込み能力の差を小さくすることができ、３端子素子であるＴＦＴを用いても、トランジスタのオン抵抗の書き込み初期状態を、あらゆる場合で揃えることができる。それゆえ、消費電力の増加を抑えながら、良好な多階調表示を実現することができるという効果を奏する。
【００７０】
また、本発明の画像表示装置の駆動装置は、１水平期間ごとに極性反転する電圧波形の位相を、走査線の電圧波形の位相から、表示画像の階調データに応じてずらした信号を、信号線に供給する信号線駆動部を備えた構成である。
【００７１】
これにより、いかなる階調であっても、信号線の周波数を上げることなく表現することができるようになる。それゆえ、パルス幅変調駆動を行う多階調の画像表示装置において、消費電力の増加を抑えながら、良好な多階調表示を実現することができるという効果を奏する。
【００７２】
また、本発明の画像表示装置の駆動装置は、１水平期間ごとに極性反転する電圧波形の位相を、共通電極の電圧波形の位相から、表示画像の階調データに応じてずらした信号を、信号線に供給する信号線駆動部を備えた構成である。
【００７３】
これにより、いかなる階調であっても、信号線の周波数を上げることなく表現することができるようになる。それゆえ、パルス幅変調駆動を行う多階調の画像表示装置において、消費電力の増加を抑えながら、良好な多階調表示を実現することができるという効果を奏する。
【発明を実施するための最良の形態】
【００７４】
〔実施の形態１〕
本発明の実施の一形態について図１ないし図１７に基づいて説明すれば、以下の通りである。本実施の形態に係る駆動方法にて駆動される画像表示装置は、画素スイッチング素子（以下、スイッチング素子と略称する）の導通期間における該信号線へ供給されるパルス幅に応じて画素電極に書き込まれる電圧を制御して、画像を表示するものである。例えば、液晶表示装置やＥＬ（electroluminescence）表示装置等のフラットパネルディスプレイ等に広く使用できる。
【００７５】
図５３のように画素電圧を信号線への供給電圧である５Ｖにまで十分充電するためには、従来の方式では、画素の静電容量とスイッチング素子のオン抵抗からなる時定数を小さくしておく必要がある。これに対し、本実施の形態では、信号線のプラス側の電圧を、所望の５Ｖではなく６．５Ｖに設定し、＋６．５Ｖと−５Ｖの２値で交流駆動するようにしている。したがって、１００％近い充電を得る必要がなくなり、画素の時定数を大きくとることができ、充電時間に対する画素電圧の変化をなだらかにすることができる。
【００７６】
図１および図２は、トランジスタのチャネルの幅および長さが７μｍおよび６μｍの薄膜トランジスタ、画素容量は０．７ｐＦとして時定数を大きくしたときの充電特性であり、ゲート電圧は１０Ｖである。図１は、画素に対して０Ｖから５Ｖまで充電される状態を示したものであり、図２は、０Ｖから−５Ｖまで充電される状態を示したものである。また、図７は、ある画素が駆動される様子を示した図であり、図中、横軸が時間であり、縦軸が電圧であり、図中の期間ｂ、ｃが１水平期間であり、図中の期間ｄが充電時間に相当する。なお、ここでは、信号線および画素はそれぞれ実線のように推移する。
【００７７】
マイナス側の書き込みである図５４および図２とを比較すると、図５４では、中間調表示に相当する２Ｖ近辺では１Ｖ／μｓ程度の傾きであり、６４階調表示を行えるような仕様をとるとすればパルス幅は３０ｎｓ程度で制御しなければならないのに対し、本実施の形態である図２では約０．２５Ｖ／μｓ程度の傾きであり、パルス幅は１２０ｎｓ程度で制御すればよいことになる。
【００７８】
このように、より充電に時間がかかるプラス書き込み方向の信号線への供給電圧を、画素の要求する電圧よりも大きくとっておくことで、画素の時定数を大きくとることができ、この結果、プラスマイナス両方向ともに充電特性をなだらかにすることができ、階調表示時の時間制御幅をより大きくとれるため、安定した表示状態を得ることができる。すなわち、信号の遅延やトランジスタの特性のバラツキなどに対して、より安定したパネルを提供することができる。
【００７９】
また、所望のパルス幅の信号を信号線ドライバの中で生成するのに要する基準クロックの周波数も、より低いものを用いることができるため、消費電力を低く抑えることができる。
【００８０】
ここで、信号線に印加する電圧はプラス側ピークからマイナス側ピークまでで１１．５Ｖであるのに対し、画素電極に供給されるのは１０Ｖである。すなわち信号線の８７％（＝１０／１１．５）である。一般にアクティブマトリクス型液晶表示装置の信号線用、特にドット反転でも用いることができるドライバは、最大電圧がピーク間で１２Ｖ程度であり、これ以上を要求すると、専用に高耐圧ドライバを作成しなければならなくなる。一方、液晶に印加されるべき電圧は最大で１０Ｖ(プラス側マイナス側各５Ｖ）程度であるため、ドライバの最大電圧の範囲内で液晶駆動に必要な電圧を得るためには、充電率は８０％以上となるように設定することがコスト的にも現実的である。図１をみてもわかるように、すでに曲線は直線に程よく近づいており、これより充電率が低いところのみを使用するように設定したとしても、さらなる線形性を得る効果は少ない。むしろ、仮に８０％以下とした場合、液晶駆動に本来必要な電圧の１．２５倍（＝１／０．８）以上の電圧を信号線に供給することになるが、消費電力は電圧の２乗に比例するため１．５倍以上となり効率が悪い。
【００８１】
一方、図５３の３０μｓ以上の領域をみれば明らかなように、充電率９８％（信号線振幅１０Ｖに対し本実施の形態のようにプラス側のみで調整するとすると、プラス書き込みの４．８Ｖ到達以降)を超えると、全体の充電時間の４０％以上を占めるにもかかわらず、充電時間の伸びに対する画素電圧の増加がほとんどない。しかもこの領域は画素電圧の増加に対する液晶の透過率の増加も大きくないため、わずか１階調分変化させるために１０μｓ以上充電時間をかえなければならないという、非常に効率の悪い領域である。したがって、この変化率の小さい領域を削ることは、充電特性の線形性を得る上で有意義である。
【００８２】
このように、画素電極に書き込まれる電圧の振幅の最大値が、信号線に供給される電圧の振幅の８０％以上９８％以下であるように構成することができる。これは、図５３を例にとると、充電時間０μｓから、１２μｓ（８０％相当）ないし３０μｓ（９８％相当）までの領域に示される充電曲線を利用することを示している。
【００８３】
なお、厳密に言えば、上記の充電率については、０Ｖを基点とした充電率ではなく、マイナス側からプラス側や、プラス側からマイナス側などというように、充電開始前の画素電位から充電中の信号線電位に対しての到達率を示している。したがって、例えば前述の「充電率９８％（プラス側のみで調整して４．８Ｖへの到達）」というのは、マイナス５Ｖからプラス４．８Ｖへの書き込み、すなわち、信号線振幅１０Ｖに対して画素電位の変動９．８Ｖという状態を示す。したがって、図５３や図５４は、厳密な意味での正確な説明に用いることはできないことになる。しかし、逆極性から０Ｖまでの充電の領域は、図５３や図５４の０μｓにおける充電特性の曲線の傾きよりもさらに急峻であって、この部分を考慮に入れても、０Ｖに至るまでのせいぜい数μｓ分、曲線が異なるだけである。したがって、充電率９８％以上の領域における充電時間の伸びに対する画素電位の増加がほとんどないという現象については変わりない。このため、０Ｖからの充電を示す図５３や図５４を基にして、充電の様子を説明することができる。しかも、信号線電位に対する正規の書き込み（図７のｄに相当）の直前の画素電位は、１水平期間内に占める正規の書き込み時間の占める割合（ｂの期間−ｄの期間）によって異なるため、駆動の形態によって様々な場合が考えられ、一概にはいえない。したがって、ここでは、本発明の概念をわかりやすくするために、最も単純な充電特性である０Ｖからの充電曲線に基づいて説明している。より具体的な駆動形態については、図１２および図１３を用いて後述する。
【００８４】
ところで、スイッチング素子がトランジスタという３端子素子であるため、すでに述べたように、信号線の極性によってスイッチング素子の特性が異なる。そのため、例えば中間調を表示するために同じ２Ｖを得るためにも、正極性と負極性で充電時間ｄが異なるように、すなわち図７中、破線で示すｄ’のように、設定すればよい。
【００８５】
さらに、同じくスイッチング素子がトランジスタという３端子素子であるため、トランジスタでは走査線がオンからオフに切り替わるとき、ゲート−ドレイン間の寄生容量によってマイナス側への引き込みをうける。このため画素電位のＤＣ（直流）レベルはマイナス側へ偏ったものとなるが、この引き込み量は画素容量全体に占める該寄生容量の割合によるので、階調ごとに液晶の静電容量が異なる液晶パネルにおいては階調毎にそれぞれ画素電位のＤＣレベルが異なることになる。このため、従来の印加電圧による階調表示では、予め引き込み量を見越して信号線への信号供給にオフセットをかけておくことが考えられる。一方、本実施形態では、このオフセット分も、上記同様、充電時間の長短で制御するようにすればよく、その分も正極性と負極性で充電時間ｄが異なるように、すなわち、上記同様、図７中、破線で示すｄ’のように設定すればよい。
【００８６】
次に、別の例について述べる。すでに述べたように、信号線の極性によってスイッチング素子の特性が異なる。つまり、図１および図２ではプラス書き込み（図１）は比較的線形に近い特性が得られているのに対し、マイナス書き込み（図２）は依然として、画素電圧の変化の大きい領域が充電の短い期間に集中している。したがって、図２の充電時間２０μｓ以上の効率が悪い領域を削除したのが図３および図４である。図３は画素に対して０Ｖから５Ｖまで充電される状態を示したものであり、図４は０Ｖから−５Ｖまで充電される状態を示したものである。この結果、３０μｓ分をプラス書き込みの方に割り当てることが可能で、図１および図２の例よりも、画素の時定数を大きくすることができる。ただし、時定数を大きくすることと、２０μｓでも−５Ｖまで充電できるようにするため、信号線へのマイナス電圧は−６Ｖとしている。一方、プラス電圧は６Ｖ、ゲート電圧は１０Ｖ、トランジスタのチャネルの幅および長さは７μｍおよび８μｍ、画素容量は０．７ｐＦである。
【００８７】
このように、走査線１ライン分の割り当て時間を信号線の極性によって変える（図７のｂおよびｃで異なるようにする）ことで、プラス極性側だけではあるが、階調表示時の時間制御幅をより大きくとることができ、安定した表示状態が得られる。すなわち、信号の遅延やトランジスタの特性のバラツキなどに対して、より安定したパネルを提供することができる。
【００８８】
次に、別の例である図６の例では、上記の図４の例と比べて、マイナス書き込み側で充電時間に対する画素電位の変化をよりなだらかにし、階調表示時のパルス幅の選択に要求される緻密さ度合いをゆるめることができる。また、信号遅延などが発生した際の充電電圧の設定値からのずれ量がプラス側とマイナス側とで大きく異なることを防ぎ、そのため、ＤＣ値のずれが生じて液晶に直流電圧が加わって表示不良を生じる恐れを減じることができる。
【００８９】
すなわち、図６は、極性に応じて走査線をオンさせる電圧が異なるようにして、曲線の形状をプラス側とほぼ同等にしたものである。図５は画素に対して０Ｖから５Ｖまで充電される状態を示したものであり、図６は０Ｖから−５Ｖまで充電される状態を示したものである。すなわち、ゲート電圧を、プラス書き込みのときには１５Ｖ、マイナス書き込みのときには６Ｖとした。トランジスタのチャネルの幅および長さは７μｍおよび１３μｍ、画素容量は０．７ｐＦ、信号線に供給する電圧は±６Ｖである。前述のように階調毎のオフセットがある分、極性によって充電時間が異なるようにする必要はあるものの、曲線の形状がプラス側とほぼ同じであることによって、特性の違いを考慮する必要がなく、充電時間設定が容易である。加えて、信号遅延などによる影響も両極性とも同等に作用するため、全体として階調レベルが変化するのみであって、ＤＣずれによる信頼性不良等の懸念がなくなる。
【００９０】
なお、図１ないし図６では、パルス幅によって充電される電圧に変化をつけることができることをより理解しやすいように、０Ｖから充電が始まると想定して図示した。しかし、より実際に近い形態としては、逆極性の該当電圧レベルからの充電形態、もしくはトランジスタがオンされた状態で途中まで信号線が０Ｖであって、あるタイミングで特定電圧に切り替えられるような充電形態をとるため、画素電極の実際の電圧変化はこれらの図の形態とは異なる。実際に近い形態を説明するために、まず図８および図９に駆動波形を図示する。図８はプラス側に書き込む場合であり、図９はマイナス側に書き込む場合である。なお、同図に示すように、共通電極（対向電極）および補助容量電極が黒表示状態の時の信号線とは逆極性の交流駆動をしているのは、信号線を駆動する振幅を低く抑えることによって耐圧の低いドライバを使用可能とし、かつ消費電力を低減するためであって、振幅で階調表示をおこなう従来の液晶パネルでも行われている方法である。
【００９１】
図８および図９のままでは充電特性を検証するのがわかりづらいため、各信号の電位差に着目して図８および図９をそれぞれ書き直したのが図１０および図１１である。これらの図では、共通電極を直流とみなしてこの電位との電位差を波形で示しており、図８および図９と事実上同じことである。
【００９２】
図８および図９において、ゲートのオン電圧は１０Ｖであり、信号線の反転タイミングをずらすことによって階調表示を行っている。これを図１０および図１１のように表現し直すと、プラス書き込みとマイナス書き込みの時にそれぞれゲート電圧が異なるようにしている図５および図６の駆動と同じことを行っているということがわかる。そして、ゲートのオン時間の間で、白に相当する電圧と黒に相当する電圧とを与える比率によって階調を実現しており、すでに説明したように充電時間によって階調制御するのと事実上同じである。
【００９３】
図１２および図１３は、このように駆動したときの各主要階調での画素電位の充電の様子を示したものである。図１２は画素がプラス方向の電位に充電される状態を示したものであり、図１３は画素がマイナス方向の電位に充電される状態を示したものである。また、擬似的に共通電極の電流を直流とみなしてこの電位との電位差を波形で示したものである。すなわち、ソース−ゲート間、ゲート−ドレイン間の電圧を、交流の共通電極の電圧と合わせたものである。これらの図では、パルス幅変調の充電特性の見積もりを示しており、定常状態での様子を示している。図１２ではソース電圧は０Ｖと５Ｖである。図１３ではソース電圧は０Ｖと−５Ｖである。図１２では、画素容量は０．７４３６ｐＦ、走査線１本あたりに割り当てられる時間（すなわち、スイッチング素子のオン時間。図７のｂ、ｃに相当）は１００μｓとし、トランジスタのチャネルの幅および長さはそれぞれ１０μｍ、１３μｍとした。そして、トランジスタをオン状態とするときのゲート電圧は１０Ｖとし、黒表示時（最大電圧書き込み時）の充電率は８５％としている。
【００９４】
また、この液晶パネルで６４階調を表示するとして、黒表示時の画素電圧から白表示時の画素電圧をそれぞれＶ０からＶ６３とし、各主要な階調における画素電圧（書き込み時間１００μｓ経過後）を示すと、図１２において、Ｖ０＝４．２５Ｖ、Ｖ８＝３．５９Ｖ、Ｖ１６＝３．０２Ｖ、Ｖ２４＝２．７１Ｖ、Ｖ３２＝２．４２Ｖ、Ｖ４０＝２．２３Ｖ、Ｖ４８＝２．０２Ｖ、Ｖ５６＝１．７５Ｖ、Ｖ６３＝１．５５Ｖである。同じく、図１３において、Ｖ０＝−４．７５Ｖ、Ｖ８＝−４．０２Ｖ、Ｖ１６＝−３．３８Ｖ、Ｖ２４＝−３．０２Ｖ、Ｖ３２＝−２．６８Ｖ、Ｖ４０＝−２．３８Ｖ、Ｖ４８＝−２．０２Ｖ、Ｖ５６＝−１．４７Ｖ、Ｖ６３＝−１．０６Ｖである。
【００９５】
前述のように、引き込み量に応じたオフセットを含めて最終的な画素電圧のターゲットが定められており、このオフセットと極性による書き込み特性の違いによって、同じ階調であっても正負各極性によって反転タイミングが異なるように設定されていることがわかる。また、信号線に与えられている振幅は１０Ｖであるのに対し、画素電圧は９Ｖを狙っており、９０％となるように設定されていることがわかる。
【００９６】
次に、別の例について述べる。図１４ないし図１７は、信号線に供給する電圧を、共通電極（対向電極）に供給する電圧と同じにしたものである。上記図８ないし図１１同様に、図１４はプラス側に書き込む場合であり、図１６はマイナス側に書き込む場合である。そして、これらの図において、共通電極を直流とみなしてこれとの電位差を波形で示したものがそれぞれ図１５、図１７である。このことによって、外部からドライバに与える電圧の系統数を減らすことができ、電源電圧形成にかかるロスを減らすことができるため、低消費電力化に効果がある。各階調の設定電圧は表１の通りであり、充電時間を調整することで、容易に実現することができる。表１は、この構成例における画素電圧の設定を示すものである。
【００９７】
【表１】
2005331981.tif 000003
【００９８】
〔実施の形態２〕
本発明の他の実施の形態について図１８ないし図４３および図４５に基づいて説明すれば、以下の通りである。
【００９９】
図１８は、本実施の形態における画像表示装置としての液晶表示装置（ＴＦＴ−ＬＣＤ）のパネルの１画素（単位画素）の回路図である。このような単位画素がマトリクス状に設けられている。この例では、複数の信号線が、画素スイッチング素子を介して画素電極と接続されており、画素スイッチング素子は走査線によってオンオフされる。
【０１００】
画素容量としての液晶容量Ｃlcおよび補助容量Ｃsとは、共通電圧（コモン電位）Ｖcomを有する対向電極ＣＯＭに接続されている。なお、液晶容量Ｃlcおよび補助容量Ｃsとは、ここでは同一の電位（＝コモン電位Ｖcom）としているが、異なる電位とすることもできる。また、対向電極ＣＯＭは線状であってもよい。
【０１０１】
また、対向電極は、ＴＦＴが設けられた基板と対向する基板（対向基板）上に設けられた構造としてもよい。あるいはまた、ＴＦＴが設けられた基板上に設けられた構造として、ＩＰＳ（In Plane Switching）モードで駆動するものであってもよい。
【０１０２】
本実施の形態では、図１９に示すように、信号線と走査線との波形の位相をずらすことで階調を表示し、かつ、信号線方向の画素の極性が１つおきに反転している。なお、図中、上から順に、Ｖg（ｎ）、Ｖg（ｎ＋１）、Ｖsはそれぞれ、ｎ番目のゲート電位、（ｎ＋１）番目のゲート電位、ソース電位を表す。したがって、いかなる階調であっても、信号線の周波数を上げることなく表現することができるようになる。
【０１０３】
このように信号線の波形の位相を走査線の波形の位相に対してずらすための構成について述べる。
【０１０４】
図２０に示すように、信号線駆動部として、Ｈカウンタ１１、Ｈデコーダ１２、Ｖカウンタ１３、Ｖデコーダ１４、タイミング調整器１５が接続されている。Ｈカウンタ１１にはクロックＣＬＫと水平同期信号ＨＳＹとが入力され、Ｖカウンタ１３には水平同期信号ＨＳＹと垂直同期信号ＶＳＹとが入力される。そして、Ｈデコーダ１２からは、走査線信号用タイミングパルス（ゲートドライバ用クロック）ＣＬＳおよび共通電極信号用タイミングパルスＲＥＶＣが出力される。タイミング調整器１５は、クロックＣＬＫが入力されて、これらＣＬＳまたはＲＥＶＣに基づき、ｉ個の信号である信号線信号用タイミングパルスＲＥＶＤ１ないしＲＥＶＤｉの全て（ＲＥＶＤと総称する）を常に出力するようになっている。ＲＥＶＤは、ＲＥＶＣと同様な反転周期で反転する。つまり、ＲＥＶＤは、ＣＬＳと同様の周期となる。本実施の形態では、信号線の波形の位相を、走査線または共通電極の波形の位相からずらすことで階調を表示しており、そのため、階調ごとにこの位相差が異なることになる。そこで、各階調に対応させて、ＲＥＶＤ１ないしＲＥＶＤｉのように、信号線信号用のタイミングパルスをｉ個発生させている。ＲＥＶＤ１〜ＲＥＶＤｉは、それぞれ、１階調〜ｉ階調までのデータに対応している。
【０１０５】
タイミング調整器１５は、信号線の信号タイミング（ＲＥＶＤ）を、ＣＬＳとの位相差で規定する場合は、図中、ａで示す入力信号を選択する。信号線の信号タイミング（ＲＥＶＤ）を、ＲＥＶＣとの位相差で規定する場合は、図中、ｂで示す入力信号を選択する。その選択した信号によって、ＲＥＶＤのタイミングを調整する。そして、例えば後述のような回路によって、ＲＥＶＤのタイミングに応じて信号線駆動回路の出力タイミングが決まるようにしておく。このようにすることによって、信号線の信号と、走査線の信号または共通電極の駆動信号との位相差を設定でき、階調表示が可能となる。
【０１０６】
これらの信号のタイミングを図２１に示す。なお図では、説明の都合上、簡略化してＲＥＶＤｉのみを描いているが、同様にして、ｉ個の信号を発生させる。ＲＥＶＤ１ないしＲＥＶＤｉの位相は、ＣＬＳに対してずらしてもよいし、ＲＥＶＣに対してずらしてもよい。
【０１０７】
上記構成の回路を用いて、信号線の波形の位相を走査線の波形の位相に対してずらすことができる。タイミング調整器１５は、信号線の波形の位相を、ＣＬＳのタイミングを基に作成される走査線の波形の位相に対してどれだけずらすかのデータに応じて、ＲＥＶＤ１ないしＲＥＶＤｉを出力する。そして、図２２に示すように、ｎ本の信号線ＳＬ１〜ＳＬｎを駆動する場合、セレクタ（Ｓ１〜Ｓｎ）にて、ＲＥＶＤ１ないしＲＥＶＤｉのうちから、信号線に印加するパルスのタイミングを順次選び出す。これにより、所望の時間間隔で、信号線の電圧として、ハイまたはローの電位を出力することができる。
【０１０８】
すなわち、ｎ本の信号線ＳＬ１〜ＳＬｎを駆動する場合、表示データに応じて各信号線ごとにＲＥＶＤ１〜ＲＥＶＤｉのいずれかを選択する。選択されたＲＥＶＤのタイミングに従って各信号線ごとに高低の電位（ハイ／ロー）をそれぞれ選択すれば、各階調に従った所望の電圧波形が各信号線に出力される。
【０１０９】
上記図２０の構成は、信号線の波形の位相を、交流（２値）の共通電極の波形の位相に対してずらすとした場合にも用いることができる。この場合は、上記の場合と比べて、タイミング調整器１５が、信号線の波形の位相を、ＲＥＶＣのタイミングを基に作成される共通電極の波形の位相に対してどれだけずらすかのデータに応じて、ＲＥＶＤ１ないしＲＥＶＤｉを出力する点が異なる。
【０１１０】
図２３に、電圧変換器（Ｃ１〜Ｃｎ）から出力される信号の様子を示す。すなわち、この信号は、基準となる電圧（基準電圧）、また、充電・放電のどちらを利用して階調を表示するかによって場合分けされる。なお、充電や放電を利用した階調表示の詳細については後述する。充電を利用して階調を表示する場合には、基準電圧がローであれば、信号出力はローからハイへと変化し、基準電圧がハイであれば、信号出力はハイからローへと変化する。変化するのに要した時間に応じて信号線の電位（信号線電圧）と共通電極の電位（共通電圧）との電位差が増加し、増加後の電位差に応じて画素容量が充電される。放電を利用して階調を表示する場合には、基準電圧がローであれば、信号出力はハイからローへと変化し、基準電圧がハイであれば、信号出力はローからハイへと変化する。変化するのに要した時間に応じて信号線の電位（信号線電圧）と共通電極の電位（共通電圧）との電位差が減少し、減少後の電位差に応じて画素容量が放電する。このように充放電後の画素の電位に応じて階調表示される。
【０１１１】
より詳しくは、本実施の形態では、走査線電圧（ゲート電位）Ｖg、信号線電圧（ソース電位）Ｖs、共通電圧（コモン電位）Ｖcomを、それぞれ、図４１、図４２（ａ）・図４２（ｂ）、図４３（ａ）・図４３（ｂ）のように印加する。各図中、横軸は時間、縦軸は電位である。
【０１１２】
図４１中、ＶＴ1は、ある１Ｖ（１垂直）期間を表し、ＶＴ2はその次の１Ｖ期間を表している。Ｇn-1、Ｇn、Ｇn+1はそれぞれ、（ｎ−１）番目の走査線、ｎ番目の走査線、（ｎ＋１）番目の走査線を表す。
【０１１３】
図４２（ａ）・図４２（ｂ）、図４３（ａ）・図４３（ｂ）中、「ａ」、「ｂ」、「ｃ」はそれぞれ、（ｎ−１）番目の走査時、ｎ番目の走査時、（ｎ＋１）番目の走査時のＶsを表す。
【０１１４】
これらの各信号を重ね合わせた様子を図２４に示す。すなわち、同図は、１Ｈライン反転駆動（１水平期間反転駆動）において、充電で階調表示をする場合の任意の画素での電圧印加の様子を示している。Ｖsは信号線の電圧である。Ｖcomは共通電極の電圧であり、ここでは交流（２値）である。Ｖｇ１は任意の走査線におけるある水平期間での電圧、Ｖｇ２はＶｇ１の次の走査線における、次の水平期間での電圧である。Ｖｄは画素スイッチング素子としてのＴＦＴのドレインの電位である。
【０１１５】
Ｖｇ１がハイ（オン）になってからしばらくは、ＶsはＶcomと同じくローでＶcomと同一電位であり、そのため、１水平期間の最初では信号線の電位と共通電極の電位とは電位差が最小になっている。このためドレインの電位Ｖdが減少し、それに応じて画素の液晶容量が最大限に放電される。次に、階調に応じた時間経過後、ＶcomがローのままでＶsがハイになり、そのため、１水平期間の最終（書き込み時）では信号線の電位と共通電極の電位とは電位差が最大になる。この電位差増加に伴い、ドレインの電位Ｖdが正の方向に増加し、それに応じて画素の液晶容量が充電される。Ｖｇ１がロー（オフ）になると、ドレインの電位Ｖdが増加をやめ、その結果、画素の液晶容量の充電が停止される。その後、Ｖcomはハイになり、Ｖsと同電位になる。
【０１１６】
上記のようにＶｇ１がロー（オフ）になった後、次の水平期間になると、Ｖｇ２がハイ（オン）になる。Ｖｇ２がハイ（オン）になってからしばらくは、Ｖsは、Ｖｇ１がロー（オフ）になった時点のＶsと同一電位であり、Ｖcomと同じくハイでＶcomと同一電位である。そのため、１水平期間の最初では信号線の電位と共通電極の電位とは電位差が最小になっている。このためドレインの電位Ｖdが減少し、それに応じて画素の液晶容量が最大限に放電される。次に、階調に応じた時間経過後、ＶcomがハイのままでＶsがローになり、そのため、１水平期間の最終（書き込み時）では信号線の電位と共通電極の電位とは電位差が最大になる。この電位差増加に伴い、ドレインの電位Ｖdが負の方向に増加し、それに応じて画素の液晶容量が充電される。Ｖｇ２がロー（オフ）になると、ドレインの電位Ｖdが増加をやめ、その結果、画素の液晶容量の充電が停止される。その後、Ｖcomはローになり、Ｖsと同電位になる。
【０１１７】
このように、ある水平期間とその次の水平期間とでは信号線の電位は極性が反転している。
【０１１８】
なお、上記の例では、いずれの水平期間においても充電により階調を表示しているが、放電により階調を表示するようにすることもできる。この場合、走査線電圧Ｖg、信号線電圧Ｖs、共通電圧Ｖcomを、それぞれ、図４１、図４５（ａ）・図４５（ｂ）、図４３（ａ）・図４３（ｂ）のように印加する。また、これらの各信号を重ね合わせた様子を図２５に示す。すなわち、同図は、１Ｈライン反転駆動（１水平期間反転駆動）において、放電で階調表示をする場合の任意の画素での電圧印加の様子を示している。Ｖsは信号線の電圧である。Ｖcomは共通電極の電圧であり、ここでは交流（２値）である。Ｖｇ１は任意の走査線におけるある水平期間での電圧、Ｖｇ２はＶｇ１の次の走査線における、次の水平期間での電圧である。Ｖｄは画素スイッチング素子としてのＴＦＴのドレインの電位である。
【０１１９】
Ｖｇ１がハイ（オン）になってからしばらくは、Ｖcomはローで、Ｖsはハイであり、そのため、１水平期間の最初では信号線の電位と共通電極の電位とは電位差が最大になっている。この電位差分だけドレインの電位Ｖdが正の方向に増加し、それに応じて画素の液晶容量が最大限に充電される。次に、階調に応じた時間経過後、ＶsがＶcomと同一電位（ロー）になり、そのため、１水平期間の最終（書き込み時）では信号線の電位と共通電極の電位とは電位差が最小になる。この電位差減少に伴い、ドレインの電位Ｖdが減少し、それに応じて画素の液晶容量が放電される。Ｖｇ１がロー（オフ）になると、ドレインの電位Ｖdが減少をやめ、その結果、画素の液晶容量の放電が停止される。
【０１２０】
上記のようにＶｇ１がロー（オフ）になった後、次の水平期間になると、Ｖｇ２がハイ（オン）になる。Ｖｇ２がハイ（オン）になってからしばらくは、Ｖcomはハイで、Ｖsはローであり、そのため、１水平期間の最初では信号線の電位と共通電極の電位とは電位差が最大になっている。この電位差分だけドレインの電位Ｖdが負の方向に増加し、それに応じて画素の液晶容量が最大限に充電される。次に、階調に応じた時間経過後、ＶsがＶcomと同一電位（ハイ）になり、そのため、１水平期間の最終（書き込み時）では信号線の電位と共通電極の電位とは電位差が最小になる。この電位差減少に伴い、ドレインの電位Ｖdが減少し、それに応じて画素の液晶容量が放電される。Ｖｇ１がロー（オフ）になると、ドレインの電位Ｖdが減少をやめ、その結果、画素の液晶容量の放電が停止される。
【０１２１】
このように、ある水平期間とその次の水平期間とでは信号線の電位は極性が反転している。
【０１２２】
走査線は線順次走査である。また、信号線と走査線との波形の位相をずらすことで階調を表示している。また、信号線方向の画素の極性が、１つおきに反転している。また、本実施の形態では共通電極の電圧は交流（２値）であり、そのため、信号線と共通電極との波形の位相をずらすことで階調を表示しているともいえる。
【０１２３】
また、信号線は走査線おきに１Ｈ（１水平）期間反転駆動をしている。
【０１２４】
また、共通電極（共通電圧）の位相はいかなる階調においても同一である。また、信号線の極性を１水平期間に一度だけ必ず極性反転させている。
【０１２５】
ここで、図２６に示す駆動条件で、信号線と走査線との波形の位相のずらした時間τと、得られた液晶画面の反射率との関係を図２７に示す。Ｔは走査線がオンである時間である。これは、ＴＦＴサイズはＷ（幅）＝１０μｍ、Ｌ（長さ）＝１０μｍであり、画素ピッチ８０μｍの対向信号線構造の反射型ＴＦＴ−ＬＣＤを用いて測定したものである。
【０１２６】
また、図４１や図３３に示すように、１つの画素に書き込む時間の前半から後半にかけて、信号線から画素への信号印加をオンオフする画素スイッチング素子としてのトランジスタの抵抗が時系列的に高くなる。すなわち、走査信号の電圧が、１Ｈ期間の前半は大きく、後半は小さくなっており、このことによって、トランジスタの抵抗が時系列的に高くなっていくことを実現している。なお、本実施の形態では書き込み時の出力、すなわち走査信号の電圧、したがってトランジスタの抵抗は２値であるが、多値であってもよく、また、同図のような階段状でなく連続的であってもよい。
【０１２７】
これについて以下に、より詳しく述べる。すなわち、一般に、パルス幅変調駆動方法は、画素に対する充電を途中で止めて階調を出すわけであるが、従来の電圧変調駆動方法用に設計されたトランジスタの抵抗はパルス幅変調駆動方法に用いるのには低すぎ、図２８および図２９に示すように、低電圧側の階調表現時には時間の高分解能が要求されるため、表現が難しくなる。図２８は、液晶のＴ−Ｖ（透過率−印加電圧）曲線を示し、図２９は、その曲線に対応し、かつ、ソース振幅が従来の電圧変調駆動方法の場合と同等の場合のパルス幅変調駆動方法の階調特性（画素の充電特性）を示している。すなわち、図２８のａないしｇは、それぞれ、図２９ないし図３３のａないしｇと対応している。ここで、図３３は、例として正極性の場合を示している。
【０１２８】
このとき、図３０に示すように、信号線の電圧を上げ、画素書き込みの時定数を大きくし、書き込み能力を落として、中間の電圧を使うようにすることもできる。なお、この様子を正極性と負極性とに分けて描いたのが、それぞれ、図３１および図３２である。両図からわかるように、従来のパルス幅変調駆動方法では、負極性側の、低電圧側の階調表現で要求される時間分解能の精度が高度になっている。
【０１２９】
また、図３３に示す構成では、１つの画素に書き込む時間の前半から後半にかけて、画素スイッチング素子としてのトランジスタの抵抗が時系列的に高くなる。したがって、パルス幅変調駆動方法で要求される中間調表現において要求される時間分解能の精度を緩和することができる。それゆえ、信号線の電圧を上げることなく、低電圧側の階調表現を容易に行えるようにすることができる。それゆえ、パルス幅変調駆動を行う多階調の画像表示装置において、消費電力の増加を抑えながら、良好な多階調表示を実現することができる。
【０１３０】
図４１のように、１つの画素に書き込む時間の後半において、前半よりも走査線の電圧を小さくするための構成例を、図３４（ａ）および図３４（ｂ）に示す。すなわち、同図（ａ）に示すように、ゲートドライバ４１に、直流電圧のＶglと、矩形波である階段状の電圧Ｖghとが入力される。Ｖghの周期は１水平期間と等しくしておく。また、ゲートドライバ４１には、所定のクロックＣＬＫおよび、あらかじめ図示しない記憶部に記憶させたデータに示す時期に従って、このクロックＣＬＫに同期して出力を切り替えるためのスタートパルスＳＰが入力される。その結果、同図（ｂ）に示すように、スタートパルスＳＰ入力前はゲートドライバ４１からはＶglが出力され、スタートパルスＳＰ入力後は、次にスタートパルスＳＰが入力されるまで、すなわちここでは１水平期間経過時点までは、Ｖghが出力される。このようにすることにより、１水平期間の初めから終わりにかけて、走査線の電圧を階段状に減少させることができ、それによって、１水平期間の初めから終わりにかけて、画素スイッチング素子としてのトランジスタの抵抗を階段状に増加させることができる。なお、この例では１水平期間に２段が含まれる階段状のＶghを用いて説明したが、このＶghとして、１水平期間に３段が含まれる階段状の電圧を用いれば、図３３のような波形の走査線信号を実現できる。
【０１３１】
また、Ｖghは階段状でなくてもよく、例えば、図３５（ａ）および図３５（ｂ）に示すように、鋸波状の電圧信号を用いることもできる。このようにすることにより、１水平期間の初めから終わりにかけて、走査線の電圧をなだらかに減少させることができ、それによって、１水平期間の初めから終わりにかけて、画素スイッチング素子としてのトランジスタの抵抗をなだらかに増加させることができる。
【０１３２】
ところで、一般に、ＴＦＴ−ＬＣＤでパルス幅変調駆動を行う場合、画素に対する充電を途中で止めて階調を出すものであるから、階調の再現性を良くするためには、トランジスタのオン抵抗の書き込み初期状態を、あらゆる場合で揃えなければならない。しかし、ＴＦＴは３端子素子であるので、それぞれの素子の電位関係でオン抵抗は変わってしまう。
【０１３３】
すなわち、ゲート、ソース、ドレインの各電位をそれぞれＶg、Ｖs、Ｖdとし、Ｖgのしきい値をＶthとし、
ソース・ドレイン間電圧Ｖsd＝Ｖd−Ｖs、
ソース・ゲート間電圧Ｖgs＝Ｖs−Ｖg、
ドレイン・ゲート間電圧Ｖgd＝Ｖd−Ｖg
とし、また、トランジスタのチャネル幅をＷとし、チャネル長をＬとし、ゲート絶縁膜の容量をＣoxとし、移動度をμとし、Ｖg≫Ｖth、Ｖd＞Ｖsとするとき、トランジスタのオン抵抗Ｒonは、図３６で示すような電位関係においては
Ｒon＝Ｖsd／Ｉsd                    (1)
Ｉsd＝Ｗ／Ｌ×μ×Ｃon×（（Ｖgs−Ｖth）×Ｖsd−１／２×Ｖsd2）  (2)
と近似される。ここで、Ｉsdはソース・ドレイン間電流である。また、図３６において、ゲートは走査線に、ソースは信号線に、ドレインは画素電極にそれぞれ接続されている。
【０１３４】
液晶は、焼き付けを防ぐために交流駆動を行うために、一般に、同一信号であっても正極性の電圧と負極性の電圧とを印加するが、正極性と負極性とでは、図３７および図３８に示すように、各電極の電位関係が異なり、式（１）および式（２）により両者のＲonが異なる。すなわち、図３７においては、書き込み電流Ｉsd+は
Ｉsd+＝Ｗ／Ｌ×μ×Ｃon×（（Ｖgd−Ｖth）×Ｖsd−１／２×Ｖsd2）
であるが、図３８においては、書き込み電流Ｉsd-は
Ｉsd-＝Ｗ／Ｌ×μ×Ｃon×（（Ｖgs−Ｖth）×Ｖsd−１／２×Ｖsd2）
であり、Ｒonが互いに異なっている。そのため、正極性と負極性とでは、書き込み能力が異なり、同じ位相で比べたとき、同じ電位が印加されない。
【０１３５】
これに対して、本実施の形態では、画素に印加される電圧の極性が走査線おきに入れ替わっている（極性反転）のに対応して、図４１や、図３９および図４０に示すように、正極性の書き込みと負極性の書き込みとで走査線の振幅を変えており、負極性の書き込み時の走査線電圧のほうが、正極性の書き込み時の走査線電圧よりも低くなるようにしている。すなわち、振幅をそれぞれＶgp、Ｖgmとすると、Ｖgp＞Ｖgmである。すなわち、ΔＶg＝Ｖgp−Ｖgm＞０である。このとき、書き込み電流Ｉsd+は
Ｉsd+＝Ｗ／Ｌ×μ×Ｃon×（（Ｖgd−Ｖth）×Ｖsd−１／２×Ｖsd2）
であり、書き込み電流Ｉsd2-は
Ｉsd2-＝Ｗ／Ｌ×μ×Ｃon×（（Ｖgs−Ｖth）×Ｖsd−１／２×Ｖsd2）
であり、
｜Ｉsd2-−Ｉsd+｜＜｜Ｉsd-−Ｉsd+｜
である。なお、この振幅の差（Ｖgp−Ｖgm）は、共通電圧Ｖcomの振幅と同一にすれば、このような差を生み出すための部材を新たに設ける必要がないため望ましい。
【０１３６】
以上のような信号波形とタイミングとによって、高品位表示可能な２値出力信号駆動ができ、より低消費電力な液晶表示装置を得ることができる。
【０１３７】
〔実施の形態３〕
本発明の他の実施の形態について図４１、図４２、図４４ないし図４６に基づいて説明すれば、以下の通りである。なお、説明の便宜上、前記の実施の形態の図面に示した部材と同一の機能を有する部材には、同一の符号を付記してその説明を省略する。
【０１３８】
本実施の形態は、基本的には実施の形態２と同一であり、主として、異なる部分について述べる。
【０１３９】
図４４は、本実施の形態における画像表示装置としての液晶表示装置（ＴＦＴ−ＬＣＤ）のパネルの１画素（単位画素）の回路図である。このような単位画素がマトリクス状に設けられている。この例では、複数の信号線が、画素電極を介して画素スイッチング素子と接続されており、画素スイッチング素子は走査線によってオンオフされる。本実施の形態では、等価回路図は、図１８に示した実施の形態２のものと比較すると、信号線と共通電極との位置が実施の形態２とは逆になっている。したがって、それに伴い、各信号の波形を少し変更している。
【０１４０】
すなわち、本実施の形態では、走査線電圧Ｖgは実施の形態２同様、図４１のように印加するが、信号線電圧Ｖs、共通電圧Ｖcomは、それぞれ、図４５（ａ）・図４５（ｂ）、図４６（ａ）・図４６（ｂ）のように印加する。各図中、横軸は時間、縦軸は電位である。すなわち、信号線電圧Ｖsおよび共通電圧Ｖcomはそれぞれ、実施の形態２のものと比べてちょうど極性が反対になった形になっている。
【０１４１】
それ以外は実施の形態２と同様である。これらの各信号を重ね合わせた様子は、図２４のＶg１とＶg２との走査順序を入れ替えたものに相当する。このため説明を省略する。
【０１４２】
なお、上記の例ではいずれの水平期間においても充電により階調を表示しているが、放電により階調を表示するようにすることもできる。この場合、走査線電圧Ｖg、信号線電圧Ｖs、共通電圧Ｖcomを、それぞれ、図４１、図４２（ａ）・図４２（ｂ）、図４６（ａ）・図４６（ｂ）のように印加する。また、これらの各信号を重ね合わせた様子は、図２５のＶg１とＶg２との走査順序を入れ替えたものに相当する。このため説明を省略する。
【０１４３】
〔実施の形態４〕
本発明の他の実施の形態について図１８、図４１、図４２、図４７に基づいて説明すれば、以下の通りである。なお、説明の便宜上、前記の実施の形態の図面に示した部材と同一の機能を有する部材には、同一の符号を付記してその説明を省略する。
【０１４４】
本実施の形態における画像表示装置としての液晶表示装置のパネルの１画素（単位画素）の回路図は、実施の形態２同様、図１８に示されるものである。このような単位画素がマトリクス状に設けられている。
【０１４５】
本実施の形態では、走査線電圧Ｖg、信号線電圧Ｖsは実施の形態２同様、それぞれ図４１、図４２（ａ）・図４２（ｂ）のように印加するが、共通電圧Ｖcomは、図４７（ａ）・図４７（ｂ）のように印加する。各図中、横軸は時間、縦軸は電位である。すなわち、共通電圧は直流である。
【０１４６】
これらの各信号を重ね合わせた様子を図４８に示す。すなわち、同図は、ドット反転駆動において、充電および放電で階調表示をする場合の任意の画素での電圧印加の様子を示している。Ｖsは信号線の電圧である。Ｖcomは共通電極の電圧であり、ここでは直流である。Ｖg１は任意の走査線におけるある水平期間での電圧、Ｖg２はＶg１の次の走査線における、次の水平期間での電圧である。Ｖｄは画素スイッチング素子としてのＴＦＴのドレインの電位である。
【０１４７】
Ｖg１がハイ（オン）になってからしばらくは、ＶsはＶcomと同一電位（ロー）であり、そのため、１水平期間の最初では信号線の電位と共通電極の電位とは電位差が最小になっている。このためドレインの電位Ｖdが減少し、それに応じて画素の液晶容量が最大限に放電される。次に、階調に応じた時間経過後、Ｖsがハイになり、そのため、１水平期間の最終（書き込み時）では信号線の電位と共通電極の電位とは電位差が最大になる。この電位差増加に伴い、ドレインの電位Ｖdが正の方向に増加し、それに応じて画素の液晶容量が充電される。Ｖg１がロー（オフ）になると、ドレインの電位Ｖdが増加をやめ、その結果、画素の液晶容量の充電が停止される。
【０１４８】
上記のようにＶg１がロー（オフ）になった後、次の水平期間になると、Ｖg２がハイ（オン）になる。Ｖg２がハイ（オン）になってからしばらくは、Ｖsは、Ｖg１がロー（オフ）になった時点と同電位（ハイ）のままであり、そのため、１水平期間の最初では信号線の電位と共通電極の電位とは電位差が最大になっている。この電位差分だけドレインの電位Ｖdが正の方向に増加し、それに応じて画素の液晶容量が最大限に充電される。次に、階調に応じた時間経過後、ＶsがＶcomと同一電位（ロー）になり、そのため、１水平期間の最終（書き込み時）では信号線の電位と共通電極の電位とは電位差が最小になる。この電位差減少に伴い、ドレインの電位Ｖdが減少し、それに応じて画素の液晶容量が放電される。Ｖg１がロー（オフ）になると、ドレインの電位Ｖdが減少をやめ、その結果、画素の液晶容量の放電が停止される。
【０１４９】
このように、ある水平期間とその次の水平期間とでは信号線の電位は極性が反転しており、ある水平期間で充電により階調を表示した場合には、その次の水平期間では放電により階調を表示している。
【０１５０】
実施の形態２同様、走査線は線順次走査である。また、信号線と走査線との波形の位相をずらすことで階調を表示している。また、信号線方向の画素の極性が、１つおきに反転している。
【０１５１】
また、信号線は、実施の形態２と異なり、隣接画素おきに極性反転するドット反転駆動をしている。
【０１５２】
また、実施の形態２同様、共通電極（共通電圧）の位相はいかなる階調においても同一である。また、信号線の極性を１水平期間に一度だけ必ず極性反転させている。
【０１５３】
実施の形態２同様、走査信号の電圧が、１Ｈ期間の前半は大きく、後半は小さくなっており、このことによって、トランジスタの抵抗が時系列的に高くなっていくことを実現している。また、本実施の形態では書き込み時の出力は２値であるが、多値であってもよく、また、階段状でなく連続的であってもよい。
【０１５４】
実施の形態２同様、画素に印加される電圧の極性が走査線おきに入れ替わっている（極性反転）のに対応して、負極性の書き込み時の走査線電圧のほうが、正極性の書き込み時の走査線電圧よりも低くなるようにしている。
【０１５５】
以上のような信号波形とタイミングとによって、高品位表示可能な２値出力信号駆動ができ、より低消費電力な液晶表示装置を得ることができる。
【０１５６】
〔実施の形態５〕
本発明の他の実施の形態について図４２、図４４、図４７、図４９に基づいて説明すれば、以下の通りである。なお、説明の便宜上、前記の実施の形態の図面に示した部材と同一の機能を有する部材には、同一の符号を付記してその説明を省略する。
【０１５７】
本実施の形態における画像表示装置としての液晶表示装置のパネルの１画素（単位画素）の回路図は、実施の形態３同様、図４４に示されるものである。このような単位画素がマトリクス状に設けられている。
【０１５８】
本実施の形態では、信号線電圧Ｖs、共通電圧Ｖcomは実施の形態４同様、それぞれ図４２（ａ）・図４２（ｂ）、図４７（ａ）・図４７（ｂ）のように印加するが、走査線電圧Ｖgは、図４９のように印加する。各図中、横軸は時間、縦軸は電位である。すなわち、走査線電圧は、実施の形態２ないし４と異なり、負極性の書き込み時の走査線電圧と、正極性の書き込み時の走査線電圧とは互いに等しくなるようにしている。
【０１５９】
実施の形態２同様、走査線は線順次走査である。また、信号線と走査線との波形の位相をずらすことで階調を表示している。また、信号線方向の画素の極性が、１つおきに反転している。
【０１６０】
また、信号線は、実施の形態４同様、隣接画素おきに極性反転するドット反転駆動をしている。
【０１６１】
また、実施の形態２同様、共通電極（共通電圧）の位相はいかなる階調においても同一である。また、信号線の極性を１水平期間に一度だけ必ず極性反転させている。
【０１６２】
実施の形態２同様、走査信号の電圧が、１Ｈ期間の前半は大きく、後半は小さくなっており、このことによって、トランジスタの抵抗が時系列的に高くなっていくことを実現している。また、本実施の形態では書き込み時の出力は２値であるが、多値であってもよく、また、階段状でなく連続的であってもよい。
【０１６３】
以上のような信号波形とタイミングとによって、高品位表示可能な２値出力信号駆動ができ、より低消費電力な液晶表示装置を得ることができる。
【０１６４】
なお、以上述べたことは、パルス幅変調駆動（ＰＷＭ）、すなわち、該画素スイッチング素子の導通期間における該信号線へ供給されるパルス幅に応じて、画素電極に書き込まれる電圧を制御する駆動を行う回路を、適宜調整することで実現可能である。一般に、ＰＷＭは、単発のパルスの幅自体を短くしたり伸ばしたりする駆動を指すが、本願では、それを広義に解釈し、走査線の波形と信号線の波形との位相差を変調すること（本発明の主要部）によりパルス幅を変調する駆動も含めてパルス幅変調駆動（ＰＷＭ）と称する。このようなパルス幅変調駆動を行うには、図５０に示すように、ドットクロックに用いられる等間隔パルス（例えばＶＧＡなら２５ＭＨｚ）をγ補正や画素の書き込み特性等に合わせるための補正を済ませた不等間隔パルスに変えるためのデータパルス作成回路２１を設ける。この不等間隔パルスは、出力がｎ階調なら１Ｈ期間（１水平期間）にｎ個用いる。この不等間隔パルスが画像信号出力ドライバである信号線ドライバ（信号線駆動回路）に送られ、内蔵されているデータカウンタ２２にカウントされていく。その内蔵カウンタに蓄積された数と、データメモリ２３に記憶されている出力データを表す数とを比較し、一致したときに、出力信号がオフ電位からオン電位に切り替わる。内蔵カウンタのデータは、水平同期信号を検出したときにリセットされて０になり、出力信号もオフ電位になる。
【０１６５】
そして、画素電極に書き込まれる電圧が、信号線に供給される電圧に満たないようにするためには、上記信号線ドライバにて、上記信号線駆動電圧の設定電圧値を高く設定する。アクティブマトリクス基板上の画素設計は、所定のゲートオン時間で充電率が１００％に満たないような時定数となるように、トランジスタサイズや画素容量が設定されているため、前述の内蔵カウンタがたとえゼロであって、信号線へ供給するパルス幅がスイッチング素子の導通期間全体に及んでいても、画素へ書き込まれた電圧は信号線駆動電圧の設定電圧値には満たない。このときの画素電圧が画素電圧の最大値として所望の値となるような分だけ、信号線駆動電圧の設定値を高く設定するのである。
【０１６６】
また、画素電極に書き込まれる電圧の最大値の該信号線に供給される電圧に対する到達率が、該画素電極に書き込まれる電圧の極性によって異なるようにするためには、上記信号線ドライバにて、上記信号線駆動電圧の設定電圧値を、画素電極に書き込まれる電圧の極性に応じて設定すればよく、例えば、正極性用と負極性用とに上記設定電圧値を抵抗分割等により用意し、極性反転タイミングを示すクロック信号に同期して切り替えればよい。このとき、該信号線に供給される信号の設定電圧値は、上記同様、正極性、負極性のそれぞれに対して、画素電圧が画素電圧の最大値として所望の値となるような分だけ、信号線駆動電圧の設定値を高く設定する。
【０１６７】
また、同一階調表示時に、該画素電極に書き込まれる電圧の極性によって、該画素スイッチング素子の導通期間における該信号線へ供給されるパルス幅が異なるようにするためには、正極性用と負極性用とに上記クロック生成回路やカウンタを設け、極性反転タイミングを示すクロック信号に同期してそれらを切り替えればよい。
【０１６８】
また、画素電極に書き込まれる電圧の極性ごとに該走査線一本あたりに割り当てられる時間が異なるようにするためには、１水平期間の長さを決定するための一定間隔を有するクロックのデューティ比を適宜変更するなどすればよく、そのためには、水平同期信号を不均等な間隔で生じるパルスとし、そのパルス間隔が、画素に書き込まれる電圧の極性に応じてそれぞれ異なるようにすればよい。
【０１６９】
また、上記すべての画素に共通の電位を印加する共通電極と、上記画素スイッチング素子を駆動する複数の走査線とを有する上記画像表示装置に対し、上記共通電極と画素電極の電位差に応じて液晶を変位させて表示を行い、信号線に供給される電圧の振幅が、共通電極に供給される電圧の振幅と同じであるようにするためには、信号線ドライバヘの電源供給回路として、対向電極ヘの電源供給回路と同一のものを利用するようにすればよい。
【０１７０】
また、前述のパルス幅変調駆動を行う回路において、オン電位とオフ電位とを１Ｈ期間ごとに入れ替えることによって信号線と走査線との波形の位相ずらしを実現でき、信号線と走査線との波形の位相をずらすことで階調を表示し、かつ、信号線方向の画素の極性が１つおきに反転しているようにするためには、１水平期間反転駆動やドット反転駆動を行いながらパルス幅変調駆動を行えばよい。その結果、例えばある水平期間ではハイ（オフ）、ロー（オン）となり、次の水平期間では、水平期間中の極性反転の結果ロー（オフ）、ハイ（オン）となるので、この２つの期間の境界ではローのままで極性反転しない。そのため、従来のように水平期間の始まりと水平期間中のハイ／ローの切り替え時との両方で極性反転することで水平期間中に２回極性反転するのと異なり、信号線駆動電圧の周波数が増加しない。
【０１７１】
ここで、１水平期間反転駆動のとき、共通電極の位相は走査信号に対して常に一定であるため、信号線と共通電極との波形の位相をずらすことで階調を表示しているとも言える。
【０１７２】
また、１水平期間の最初は信号線の電位と共通電極の電位とは電位差が最小で、１水平期間の最終では信号線の電位と共通電極の電位とは電位差が最大になっていてもよい。あるいは、１水平期間の最初は信号線の電位と共通電極の電位とは電位差が最大で、１水平期間の最終では信号線の電位と共通電極の電位とは電位差が最小になっていてもよい。
【０１７３】
また、正極性の書き込みと負極性の書き込みとで走査線の振幅を変えるようにするためには、例えば一方の電圧値から抵抗分割等で他方の電圧値を生成するなどすればよい。
【０１７４】
また、走査線に供給される電圧の振幅の差が共通電極に供給される電圧の振幅と同一であるようにするためには、上記の抵抗分割で生じる差に相当する電圧を共通電極への印加電圧とすればよい。
【０１７５】
また、１つの画素に書き込む時間の前半から後半にかけてトランジスタの抵抗が時系列的に高くなるようにするためには、該トランジスタのゲート電圧を時系列的に減少させればよい。
【０１７６】
また、上記トランジスタの抵抗の変動を、ゲート電圧の変動で行うようにするためには、該トランジスタのゲート電圧を時系列的に減少させればよく、そのためには、例えば階段状に減少させるには、所定の複数の電圧値を抵抗分割等により用意し、１水平期間の長さを決めるクロックを適宜分周して得たクロックを利用したタイミングで、これらの電圧値を切り替えるようにすればよい。また、連続的に減少させるには、ゲート電圧のオン電圧を作る回路に、微分回路を付加すればよい。
【０１７７】
なお、本発明の画像表示装置は、基板上に形成された複数の画素電極と、該画素電極に個別に接続される画素スイッチング素子と、該画素スイッチング素子を介して画素電極と接続された複数の信号線を少なくとも有し、該画素スイッチング素子の導通期間における該信号線へ供給されるパルス幅に応じて画素電極に書き込まれる電圧を制御する画像表示装置において、画素電極に書き込まれる電圧が、信号線に供給される電圧に満たないように構成してもよい。
【０１７８】
また、本発明の画像表示装置は、上記構成において、画素電極に書き込まれる電圧の最大値が、信号線に供給される電圧の８０％以上９８％以下であるように構成してもよい。
【０１７９】
したがって、多階調の表示装置においてもパルスの間隔が小さくなりすぎることが緩和され、消費電力の増加や温度などの外的要因による階調レベルの変化が発生することが防止される。
【０１８０】
また、本発明の画像表示装置は、上記構成において、画素電極に書き込まれる電圧の最大値の該信号線に供給される電圧に対する到達率が、該画素電極に書き込まれる電圧の極性によって異なるように構成してもよい。
【０１８１】
したがって、書き込み電圧の極性によるスイッチング素子の違いにかかわらず、所望の充電電圧を得ることができる。さらに、表示階調によって液晶層部分の容量が異なることにより、最適対向電圧が変化するというアクティブマトリクス型液晶表示装置の一般的な問題に対しても対応することができる。
【０１８２】
また、本発明の画像表示装置は、基板上に形成された複数の画素電極と、画素電極に個別に接続される画素スイッチング素子と、画素スイッチング素子を駆動する複数の走査線と、画素スイッチング素子を介して画素電極と接続された複数の信号線とを有し、該画素スイッチング素子の導通期間における該信号線へ供給されるパルス幅に応じて画素電極に書き込まれる電圧を制御し、共通電極と画素電極の電位差に応じて液晶を変位させて表示を行う液晶表示装置において、画素電極に書き込まれる電圧は信号線に供給される電圧に満たないようにされており、信号線に供給される電圧の振幅は共通電極に供給される電圧の振幅と同じであるように構成してもよい。
【０１８３】
したがって、信号線ドライバヘの電源供給回路を対向電極のそれと同一のものを利用することができるため、電圧作成にかかるロスが少なくてすむ。従来はたとえ信号線と対向電極の振幅が同じであっても、表示階調によって液晶層部分の容量が異なることによって、最適対向電圧が変化するというアクティブマトリクス型液晶表示装置の一般的な問題により、ＤＣレベルが異なるため同一の電源回路からの供給ができなかったが、黒表示すなわち最も画素電位を高く充電される状態においても、画素電極に書き込まれる電圧は信号線に供給される電圧に満たないようにすること、および信号線に供給される電圧に対する到達率が、該画素電極に書き込まれる電圧の極性によって異なるようにすることで、上記目的を達成することができる。
【０１８４】
また、本発明の画像表示装置の駆動方法は、基板上に形成された複数の画素電極と、画素電極に個別に接続される画素スイッチング素子と、画素スイッチング素子を駆動する複数の走査線と、画素スイッチング素子を介して画素電極と接続された複数の信号線とを有し、該画素スイッチング素子の導通期間における該信号線へ供給されるパルス幅に応じて画素電極に書き込まれる電圧を制御し、共通電極と画素電極の電位差に応じて液晶を変位させて表示を行う液晶表示装置の駆動方法において、同一階調表示時に、該画素電極に書き込まれる電圧の極性によって、該画素スイッチング素子の導通期間における該信号線へ供給されるパルス幅が異なるように構成してもよい。
【０１８５】
したがって、表示階調によって液晶層部分の容量が異なるために、最適対向電圧が変化するというアクティブマトリクス型液晶表示装置の一般的な問題に対しても対応することができる。
【０１８６】
また、本発明の画像表示装置の駆動方法は、基板上に形成された複数の画素電極と、画素電極に個別に接続される画素スイッチング素子と、画素スイッチング素子を駆動する複数の走査線と、画素スイッチング素子を介して画素電極と接続された複数の信号線とを有し、該画素スイッチング素子の導通期間における該信号線へ供給されるパルス幅に応じて画素電極に書き込まれる電圧を制御し、共通電極と画素電極の電位差に応じて液晶を変位させて表示を行う液晶表示装置の駆動方法において、画素電極に書き込まれる電圧の極性ごとに、該走査線一本あたりに割り当てられる時間が異なるように構成してもよい。
【０１８７】
したがって、書き込み電圧の極性によるスイッチング素子の違いにかかわらず、所望の充電電圧を得ることができる。さらに、表示階調によって液晶層部分の容量が異なることにより、最適対向電圧が変化するというアクティブマトリクス型液晶表示装置の一般的な問題に対しても対応することができる。しかも、表示装置の動作の周波数によって決定される限られた期間の中で、プラス書き込み時とマイナス書き込み時のそれぞれに最適な期間を割り当てることができ、多階調の表示装置においてもパルスの間隔が小さくなりすぎることをさらに緩和することが容易になり、消費電力の増加や温度などの外的要因による階調レベルの変化が発生することが防止される。
【０１８８】
また、本発明の画像表示装置の駆動方法は、ＴＦＴ−ＬＣＤ、すなわちＴＦＴ（薄膜トランジスタ）方式の液晶表示装置において信号線に供給される電圧が２値であってその電圧のパルス幅で階調を表示する画像表示装置の駆動方法において、信号線と走査線との波形の位相をずらすことで階調を表示し、かつ、信号線方向の画素の極性が１つおきに反転しているように構成してもよい。
【０１８９】
また、本発明の画像表示装置の駆動方法は、ＴＦＴ−ＬＣＤにおいて信号線に供給される電圧が２値であってその電圧のパルス幅で階調を表示する画像表示装置の駆動方法において、コモン（共通電極）の位相はいかなる階調においても同一であるように構成してもよい。
【０１９０】
また、本発明の画像表示装置の駆動方法は、ＴＦＴ−ＬＣＤにおいて信号線に供給される電圧が２値であってその電圧のパルス幅で階調を表示する画像表示装置の駆動方法において、正極性の書き込みと負極性の書き込みとで走査線の振幅を変えるように構成してもよい。
【０１９１】
また、本発明の画像表示装置の駆動方法は、上記の構成において、走査線に供給される電圧の振幅の差がコモン（共通電極）に供給される電圧の振幅と同一であるように構成してもよい。
【０１９２】
また、本発明の画像表示装置の駆動方法は、ＴＦＴ−ＬＣＤにおいて信号線に供給される電圧が２値であってその電圧のパルス幅で階調を表示する画像表示装置の駆動方法において、１つの画素に書き込む時間の前半から後半にかけてトランジスタの抵抗が時系列的に高くなるように構成してもよい。
【０１９３】
また、本発明の画像表示装置の駆動方法は、上記の構成において、上記トランジスタの抵抗の変動を、ゲート電圧の変動で行うように構成してもよい。
【０１９４】
また、本発明の画像表示装置の駆動方法は、上記の構成において、信号線の極性を１水平期間に一度だけ必ず極性反転させるように構成してもよい。
【産業上の利用可能性】
【０１９５】
画素スイッチング素子の導通期間における信号線へ供給されるパルス幅に応じて画素電極に書き込まれる電圧を制御して画像を表示する画像表示装置のような用途にも適用できる。
【図面の簡単な説明】
【０１９６】
【図１】本発明の駆動における画素電圧の状態を示すグラフである。
【図２】本発明の駆動における画素電圧の状態を示すグラフである。
【図３】本発明の駆動における画素電圧の状態を示すグラフである。
【図４】本発明の駆動における画素電圧の状態を示すグラフである。
【図５】本発明の駆動における画素電圧の状態を示すグラフである。
【図６】本発明の駆動における画素電圧の状態を示すグラフである。
【図７】本発明の駆動信号を示すタイミングチャートである。
【図８】本発明の駆動信号を示すタイミングチャートである。
【図９】本発明の駆動信号を示すタイミングチャートである。
【図１０】本発明の駆動信号を示すタイミングチャートである。
【図１１】本発明の駆動信号を示すタイミングチャートである。
【図１２】本発明の駆動における画素電圧の状態を示すグラフである。
【図１３】本発明の駆動における画素電圧の状態を示すグラフである。
【図１４】本発明の駆動信号を示すタイミングチャートである。
【図１５】本発明の駆動信号を示すタイミングチャートである。
【図１６】本発明の駆動信号を示すタイミングチャートである。
【図１７】本発明の駆動信号を示すタイミングチャートである。
【図１８】単位画素の等価回路を示す回路図である。
【図１９】本発明のパルス幅変調駆動方法の信号波形を示す説明図である。
【図２０】信号線の波形の位相をずらす回路の構成例を示すブロック図である。
【図２１】図２０の各信号のタイミングを示すタイミングチャートである。
【図２２】信号線の信号を出力する回路の構成例を示すブロック図である。
【図２３】図２２の構成において出力する信号を示す説明図である。
【図２４】１水平期間反転駆動において充電で階調表示する場合の任意の画素における各信号の波形を示す説明図である。
【図２５】１水平期間反転駆動において放電で階調表示する場合の任意の画素における各信号の波形を示す説明図である。
【図２６】各信号の駆動条件を示す説明図である。
【図２７】図２６の場合の位相差に対する反射率の特性を示すグラフである。
【図２８】液晶のＴ−Ｖ曲線を示すグラフである。
【図２９】ソース振幅が従来の電圧変調駆動方法の場合と同等の場合の、パルス幅変調駆動方法の階調特性を示すグラフである。
【図３０】ソース振幅が従来の電圧変調駆動方法の場合より大きい場合の、パルス幅変調駆動方法の階調特性を示すグラフである。
【図３１】ソース振幅が従来の電圧変調駆動方法の場合より大きい場合で、正極性の書き込み時における、パルス幅変調駆動方法の階調特性を示すグラフである。
【図３２】ソース振幅が従来の電圧変調駆動方法の場合より大きい場合で、負極性の書き込み時における、パルス幅変調駆動方法の階調特性を示すグラフである。
【図３３】ソース振幅が従来の電圧変調駆動方法の場合と同等の場合で、かつ、書き込み時のゲート電圧の振幅を次第に小さくした場合の、パルス幅変調駆動方法の階調特性を示すグラフである。
【図３４】（ａ）は、ゲートドライバの構成例を示すブロック図であり、（ｂ）は、ゲートドライバから出力される走査線信号の波形を示す説明図である。
【図３５】（ａ）は、ゲートドライバの構成例を示すブロック図であり、（ｂ）は、ゲートドライバから出力される走査線信号の波形を示す説明図である。
【図３６】ＴＦＴの各電極構成を示す説明図である。
【図３７】正極性時におけるＴＦＴの各電極の電位波形を示す説明図である。
【図３８】負極性時におけるＴＦＴの各電極の電位波形を示す説明図である。
【図３９】本発明の正極性時におけるＴＦＴの各電極の電位波形を示す説明図である。
【図４０】本発明の負極性時におけるＴＦＴの各電極の電位波形を示す説明図である。
【図４１】ゲート電位の信号波形を示すタイミングチャートである。
【図４２】ソース電位の信号波形を示すものであり、同図（ａ）は垂直期間ＶＴ1におけるタイミングチャートであり、同図（ｂ）は垂直期間ＶＴ2におけるタイミングチャートである。
【図４３】共通電圧の信号波形を示すものであり、同図（ａ）は垂直期間ＶＴ1におけるタイミングチャートであり、同図（ｂ）は垂直期間ＶＴ2におけるタイミングチャートである。
【図４４】単位画素の等価回路を示す回路図である。
【図４５】ソース電位の信号波形を示すものであり、同図（ａ）は垂直期間ＶＴ1におけるタイミングチャートであり、同図（ｂ）は垂直期間ＶＴ2におけるタイミングチャートである。
【図４６】共通電圧の信号波形を示すものであり、同図（ａ）は垂直期間ＶＴ1におけるタイミングチャートであり、同図（ｂ）は垂直期間ＶＴ2におけるタイミングチャートである。
【図４７】共通電圧の信号波形を示すものであり、同図（ａ）は垂直期間ＶＴ1におけるタイミングチャートであり、同図（ｂ）は垂直期間ＶＴ2におけるタイミングチャートである。
【図４８】ドット反転駆動において充電で階調表示する場合の任意の画素における各信号の波形を示す説明図である。
【図４９】ゲート電位の信号波形を示すタイミングチャートである。
【図５０】信号線の信号を出力する回路の構成例を示すブロック図である。
【図５１】従来の電圧変調駆動方法におけるソース信号波形を示す説明図である。
【図５２】従来のパルス幅変調駆動方法におけるソース信号波形を示す説明図である。
【図５３】従来の駆動における画素電圧の状態を示すグラフである。
【図５４】従来の駆動における画素電圧の状態を示すグラフである。
【符号の説明】
【０１９７】
１１    Ｈカウンタ（信号線駆動部）
１２    Ｈデコーダ（信号線駆動部）
１３    Ｖカウンタ（信号線駆動部）
１４    Ｖデコーダ（信号線駆動部）
１５    タイミング調整器（信号線駆動部）
２１    データパルス作成回路（信号線駆動部）
２２    データカウンタ（信号線駆動部）
２３    データメモリ（信号線駆動部）
４１    ゲートドライバ
Ｃ１、Ｃ２、Ｃｎ    電圧変換器
Ｃlc    液晶容量
ＣＯＭ  対向電極
Ｃs    補助容量
Ｓ１、Ｓ２、Ｓｎ    セレクタ
Ｖg    走査線電圧
Ｖs    信号線電圧
Ｖcom  共通電圧
ＶＴ1、ＶＴ2    １垂直期間
【図１】
2005331981.tif 000004
【図２】
2005331981.tif 000005
【図３】
2005331981.tif 000006
【図４】
2005331981.tif 000007
【図５】
2005331981.tif 000008
【図６】
2005331981.tif 000009
【図７】
2005331981.tif 000010
【図８】
2005331981.tif 000011
【図９】
2005331981.tif 000012
【図１０】
2005331981.tif 000013
【図１１】
2005331981.tif 000014
【図１２】
2005331981.tif 000015
【図１３】
2005331981.tif 000016
【図１４】
2005331981.tif 000017
【図１５】
2005331981.tif 000018
【図１６】
2005331981.tif 000019
【図１７】
2005331981.tif 000020
【図１８】
2005331981.tif 000021
【図１９】
2005331981.tif 000022
【図２０】
2005331981.tif 000023
【図２１】
2005331981.tif 000024
【図２２】
2005331981.tif 000025
【図２３】
2005331981.tif 000026
【図２４】
2005331981.tif 000027
【図２５】
2005331981.tif 000028
【図２６】
2005331981.tif 000029
【図２７】
2005331981.tif 000030
【図２８】
2005331981.tif 000031
【図２９】
2005331981.tif 000032
【図３０】
2005331981.tif 000033
【図３１】
2005331981.tif 000034
【図３２】
2005331981.tif 000035
【図３３】
2005331981.tif 000036
【図３４】
2005331981.tif 000037
【図３５】
2005331981.tif 000038
【図３６】
2005331981.tif 000039
【図３７】
2005331981.tif 000040
【図３８】
2005331981.tif 000041
【図３９】
2005331981.tif 000042
【図４０】
2005331981.tif 000043
【図４１】
2005331981.tif 000044
【図４２】
2005331981.tif 000045
【図４３】
2005331981.tif 000046
【図４４】
2005331981.tif 000047
【図４５】
2005331981.tif 000048
【図４６】
2005331981.tif 000049
【図４７】
2005331981.tif 000050
【図４８】
2005331981.tif 000051
【図４９】
2005331981.tif 000052
【図５０】
2005331981.tif 000053
【図５１】
2005331981.tif 000054
【図５２】
2005331981.tif 000055
【図５３】
2005331981.tif 000056
【図５４】
2005331981.tif 000057